(57)【要約】【課題】本発明は、一定の形状を維持して着心地を向上させ、特に鼻を圧迫しないながらメガネの曇り及びマスク内部の結露現象を防止する機能性マスクを提供する。【解決手段】本発明の一実施形態による機能性マスクは、外鼻と口脣の位置に対応する中央部１が突出して全体として膨らんでいる形状を有するマスク本体１０と、中央部１に形成された複数の通気孔２と、鼻柱に接触するマスク本体１０の上側に位置する鼻柱支持部３と、鼻柱支持部３の両側にそれぞれ離隔して配置された左側外鼻支持部材１１及び右側外鼻支持部材１２と、マスク本体１０の下部の少なくとも一部分に備えられ、使用者の呼気を排出するための通路を形成する空気排出エンボス６とを含む。【選択図】図５
2019090157.tif 000002
【特許請求の範囲】
【請求項１】
外鼻と口脣の位置に対応する中央部が突出して全体として膨らんでいる形状を有するマスク本体と、
前記中央部に形成された複数の通気孔と、
鼻柱に接触する前記マスク本体の上側に位置する鼻柱支持部と、
前記鼻柱支持部の両側にそれぞれ離隔して配置された左側外鼻支持部材及び右側外鼻支持部材と、
前記マスク本体の下部の少なくとも一部分に備えられ、使用者の呼気を排出するための通路を形成する空気排出エンボスと、
を含む、機能性マスク。
【請求項２】
前記左側外鼻支持部材及び前記右側外鼻支持部材は、前記マスク本体の内面と前記使用者の顔面との間に離隔空間が形成及び維持されるように前記マスク本体から前記使用者の両頬接触部分まで突出することにより、前記マスク本体を支持する、請求項１に記載の機能性マスク。
【請求項３】
前記空気排出エンボスは、前記中央部から前記マスク本体の下部まで垂直方向に延び、前記マスク下部の表面に屈曲を有する形状に複数のエンボスを形成する、請求項１に記載の機能性マスク。
【請求項４】
前記マスク本体は、外気から有害性物質を遮断する微細ほこりフィルターと芳香剤抽出物のコートされたパッチが前記マスク本体の外面に着脱可能に設けられる、請求項１に記載の機能性マスク。
【請求項５】
前記使用者の耳と前記マスク本体とを連結する紐及び前記マスク本体の両側面の少なくとも一部分に設けられ、前記紐が挿入できる少なくとも一つのホールをさらに含む、請求項１に記載の機能性マスク。
【請求項６】
前記マスク本体、前記鼻柱支持部、前記左側外鼻支持部材、前記右側外鼻支持部材及び前記空気排出エンボスは同じ素材で製作される、請求項１に記載の機能性マスク。
【発明の詳細な説明】
【技術分野】
【０００１】
本発明は、機能性マスクに関し、より詳しくは、一定の形状を維持して着心地を向上させ、特にネックウォーマーのような衣類アクセサリーに着用できるようにする形状維持が可能であり、またメガネの曇り及びマスク内部の結露現象を防止することができる機能性マスクに関する。
【背景技術】
【０００２】
異物の吸入又は飛散を防止するための一般的なマスクは纎維又は綿で製作されて主に飛散に使われている。しかし、纎維又は綿で製作された防寒用マスクは運動時に早まる呼吸によって形状が変形してしまう。特に、使用者が息苦しく呼吸するとき、マスクが鼻側に進入して鼻をマスクで塞ぐことがあるので、使用者はマスクによって不便感を感じることがある。
【０００３】
マスクに関連する先行技術としては、特許文献１（特許第４３７２６３８号公報）の立体マスクがある。前記先行技術は、マスクの周辺部と皮膚の間に間隙が生じないようにし、長期間使用に耐えるように触感を良くするとともに、圧迫感が感じなく、繰り返し洗濯してもマスク本体が縮まらなく、また皺が生じにくい立体マスクについて開示している。
【０００４】
また、マスクに関連する特許文献２（韓国特許第１０−１６３５３９２号公報）は一定の形状を維持するマスクについて開示している。
【先行技術文献】
【特許文献】
【０００５】
【特許文献１】特許第４３７２６３８号公報
【特許文献２】韓国特許第１０−１６３５３９２号公報
【発明の概要】
【発明が解決しようとする課題】
【０００６】
しかし、前記先行技術の特許文献１（特許第４３７２６３８号公報）は、唇の動きによってマスクが顔でずれることを防止する効果について開示しているだけで、呼吸が速くなった場合にもマスク本体の立体的な形状自体が維持されるという点については開示していない。また、先行技術の韓国登録特許第１０−１６３５３９２号は形状が維持可能であるという点について開示しているが、速い呼吸時にマスクが顔でずれることを防止する機能は素材そのもののみで具現するのに限界がある。そして、特許文献２（韓国特許第１０−１６３５３９２号公報）に開示されたマスクの素材は、素材の特性上マスクの内部に結露現象が発生して使用に不便さをもたらす虞がある。
【０００７】
前記先行技術等は、速い呼吸時に発生する呼気によって発生するメガネの曇り及びマスク内部の結露を防止するという点については開示していない。
【０００８】
本発明は、上述した問題点を解決するためになされたもので、その目的は、呼吸を息苦しくする場合にもマスク本体の立体的な形状そのものが維持されるだけでなく、メガネの曇り及びマスク内部の曇りを防止する機能性マスクを提供することにある。
また、本発明は、野外活動時に着用するスポーツウェア又はアウトドア衣類及びネックウォーマーのような衣類アクセサリーにも結合して着用することができる機能性マスクを提供することを他の目的とする。
【０００９】
本発明の技術的課題は上述した技術的課題に制限されず、上述していない他の技術的課題は下記の記載から本発明が属する技術分野の通常の技術者に明らかに理解可能であろう。
【課題を解決するための手段】
【００１０】
上記の目的を達成するための本発明の一実施形態による機能性マスクは、外鼻と口脣の位置に対応する中央部が突出して全体として膨らんでいる形状を有するマスク本体と、前記中央部に形成された複数の通気孔と、鼻柱に接触する前記マスク本体の上側に位置する鼻柱支持部と、前記鼻柱支持部の両側にそれぞれ離隔して配置された左側外鼻支持部材及び右側外鼻支持部材と、前記マスク本体の下部の少なくとも一部分に備えられ、使用者の呼気を排出するための通路を形成する空気排出エンボスとを含む。
【００１１】
本発明の一実施形態による機能性マスクにおいて、前記左側外鼻支持部材及び前記右側外鼻支持部材は、前記マスク本体の内面と前記使用者の顔面との間に離隔空間が形成及び維持されるように前記マスク本体から前記使用者の両頬接触部分まで突出することにより、前記マスク本体を支持する。
【００１２】
本発明の一実施形態による機能性マスクにおいて、前記空気排出エンボスは、前記中央部から前記マスク本体の下部まで垂直方向に延び、前記マスク下部の表面に屈曲を有する形状に複数のエンボスを形成する。
【００１３】
本発明の一実施形態による機能性マスクにおいて、前記マスク本体は、外気から有害性物質を遮断する微細ほこりフィルターと芳香剤抽出物のコートされたパッチが前記マスク本体の外面に着脱可能に設けられる。
【００１４】
本発明の一実施形態による機能性マスクは、前記使用者の耳と前記マスク本体とを連結する紐及び前記マスク本体の両側面の少なくとも一部分に設けられ、前記紐が挿入できる少なくとも一つのホールをさらに含む。
【００１５】
本発明の一実施形態による機能性マスクにおいて、前記マスク本体、前記鼻柱支持部、前記左側外鼻支持部材、前記右側外鼻支持部材及び前記空気排出エンボスは同じ素材で製作される。
【００１６】
本発明の参考実施形態による形状維持が可能な機能性マスクは、外鼻と口脣の位置に対応する中央部が突出して全体として膨らんでいる形状を有するマスク本体と、空気が容易に出入することができるように前記中央部に形成された複数の通気孔と、鼻柱に接触する前記マスク本体の上側位置に鼻柱支持部とが備えられ、前記鼻柱支持部の両側にそれぞれ離隔して配置された左側外鼻支持部材及び右側外鼻支持部材を含む。
【００１７】
本発明の参考実施形態による機能性マスクの前記左側外鼻支持部材及び前記右側外鼻支持部材はマスク着用状態でマスクの内面と顔面の間に離隔空間を形成しながら、マスクの着用時に鼻柱と両ほお間の隙間が広がらないように前記鼻柱支持部から両ほおが接触する部分まで突設されることができる。
【００１８】
本発明の参考実施形態による機能性マスク本体は、前記離隔空間が維持されるように膨らんでいる形状の維持が可能な素材で作られることができる。
【００１９】
本発明の参考実施形態による前記左側外鼻支持部材及び前記右側外鼻支持部材は前記マスク本体の下側の位置にも突設されることができる。
【００２０】
本発明の参考実施形態によるマスク本体は衣類又は衣類アクセサリーに結合されて使われ、前記マスク本体と前記衣類又は前記マスク本体と前記衣類アクセサリーの間には、外気から有害性物質を遮断する微細ほこりフィルターを含み、前記微細ほこりフィルターは着脱可能である。
【００２１】
本発明の参考実施形態によるマスク本体の内面又は外面には、芳香剤抽出物がコートされたパッチが付着されることができる。
【００２２】
本発明の参考実施形態によるマスク本体の素材は、ゴム、シリコン、ポリプロピレン又はポリウレタンフォームであってもよい。
【００２３】
本発明の参考実施形態によるマスクは、マスク本体の下部に呼気排出のための通路を提供するように凸凹な空気排出エンボスが形成されることができる。
【００２４】
本発明の参考実施形態による前記空気排出エンボスは前記マスク本体下部の所定の位置から前記マスク本体の下端までに垂直方向に延設されることができる。
【発明の効果】
【００２５】
上述した本発明の一実施形態による形状維持が可能な機能性マスクによれば、運動によって呼吸を速める場合にもマスクが鼻側に進入しないので、使用者にとって不便感が感じないようにすることができ、着心地を向上させることができる。
また、使用者がネックウォーマー又はスポーツウェアを着用する場合、本発明の一実施形態による機能性マスクをネックウォーマー又はスポーツウェアに結合することにより、従来のネックウォーマー又はスポーツウェアにおいて呼吸が早まるときに布が鼻側に進入して使用者の呼吸を不便にした従来の問題点が改善することができる。
また、使用者がネックウォーマー又はスポーツウェアに本発明の一実施形態による機能性マスクを結合する場合、微細ほこりフィルター又は芳香剤パッチをさらに結合して微細ほこりを遮断するなど使用者の趣向に合う香りを提供することができる。
また、本発明の一実施形態による機能性マスクは、マスク本体に形成された外鼻支持部材によって激しい運動時にマスクが顔でずれることを防止するだけでなく、呼吸を息苦しくする場合に空気が鼻の上部から排出されることにより、メガネに曇りが生じる現象も防止することができる。
また、本発明の一実施形態による機能性マスクは、マスク本体の下端に形成された空気排出エンボスによってマスクの内部で発生する結露現象を解消することだけではなく、マスク形態の変形を防止し、マスク本体の強度を増加させて長期間マスクの形態を維持することができる耐久性を高めることができる。
【図面の簡単な説明】
【００２６】
【図１Ａ】本発明の一実施形態による機能性マスクの斜視図（Ａ）である
【図１Ｂ】本発明の一実施形態による機能性マスクの側面図（Ｂ）である。
【図２】本発明の他の実施形態による機能性マスクの背面図である。
【図３】本発明のさらに他の実施形態による機能性マスクの使用状態を示す側面図である。
【図４】本発明のさらに他の実施形態による機能性マスクの分解図である。
【図５】本発明のさらに他の実施形態によってエンボスが形成された機能性マスクの斜視図である。
【図６】本発明のさらに他の実施形態によってエンボスが形成された機能性マスクの背面図である。
【発明を実施するための形態】
【００２７】
以下、添付図面に基づいて本発明の好適な実施形態を詳細に説明する。本発明の利点及び特徴、そしてそれらを達成する方法は添付図面に基づいて詳細に後述する実施形態から明らかになるであろう。しかし、本発明は以下に開示する実施形態に限定されるものではなく、互いに異なる多様な形態に具現可能である。ただ、本実施形態は本発明の開示を完全にし、本発明が属する技術分野で通常の知識を有する者に、発明の範疇を完全に知らせるために提供するものであり、本発明は請求項の範疇によって定義されるだけである。明細書全般にわたって同じ参照符号は同じ構成要素を指す。特に他の定義がなければ、本明細書で使われる全ての用語（技術的及び科学的用語を含む）は、本発明が属する技術分野で通常の知識を有する者に共通して理解可能な意味として使われることができる。また、一般的に使われ辞書に定義されている用語は、特に定義されていない限り、理想的に又は過度に解釈されない。
また、本明細書で単数型は、文句で特に言及しない限り、複数型も含まれることができる。明細書で使われる「含む（ｃｏｍｐｒｉｓｅｓ）」及び／又は「含む（ｃｏｍｐｒｉｓｉｎｇ）」は、言及した構成要素、段階、動作及び／又は素子が一つ以上の他の構成要素、段階、動作及び／又は素子の存在又は追加を排除しない。
【００２８】
図１は本発明の一実施形態による機能性マスクの斜視図（Ａ）及び側面図（Ｂ）である。
図１を参照すると、本発明の一実施形態による機能性マスクは、全体として半球形の膨らんでいる形状を有するように、中央部１が突出して着用時に顔面とマスクの間に余裕空間を形成することができる。
【００２９】
本発明の一実施形態による機能性マスクは、使用者の吸気及び呼気の際、マスク本体１０の形状が空圧によって変形されることを防止するために、外鼻と口脣の位置に対応する中央部１に複数の通気孔２が形成できる。
【００３０】
本発明の一実施形態によって、マスク本体１０の中央部１に通気孔２を提供することにより、使用者の吸気及び呼気の際、空気がマスク本体１０の内外に出入する面積を増やすことにより、マスクの形状が空圧によって変形されることを防止し、使用者が楽に呼吸することができるようにする。
【００３１】
また、図１に示すように、本発明の一実施形態による機能性マスクは、鼻柱が接触するマスク本体１０の上側位置に鼻柱支持部３が備えられ、鼻柱支持部３の両側に左側外鼻支持部材１１及び右側外鼻支持部材１２がそれぞれ離隔して配置されることができる。
より具体的には、本発明の一実施形態による外鼻支持部材は、鼻柱支持部３からマスク本体１０の両ほおが接触する部分４までマスクの着用時に広がる隙間を満たすように突設されることができる。一方、前記外鼻支持部材はマスク本体１０と同一の素材で製作されることができる。
【００３２】
若しくは、マスク本体１０上にスポンジを重ねて当て、その上に布地を被せた後、前記外鼻支持部材位置に熱又は圧縮力を加えることによって前記外鼻支持部材を突出状に成形することができる。
【００３３】
前記左側外鼻支持部材１１と右側外鼻支持部材１２は、マスクの内面と顔面の間に形成された離隔空間５が維持されるように、マスク本体１０を支持する役目をすることができる。
また、マスクの着用時、過呼吸によってマスク本体１０の形状が変形されないように形状を維持させる役目もすることができる。したがって、本発明の一実施形態による機能性マスクを着用した場合、マスク本体１０と外鼻５０の間に離隔空間５が形成されることができる。
【００３４】
一方、本発明の一実施形態による外鼻支持部材は、鼻柱支持部３から両ほおが接触する部分４までよほど長く突設されるから、鼻柱と両ほお間のマスクが広がり得る隙間を完全にカバーすることができる。
したがって、呼吸を早めるとき、鼻柱周辺の広がった隙間を通じて呼気が露出することを防止してメガネの曇りを防止することができる。
【００３５】
従来のマスクは、前記メガネの曇りなどの問題点を解決するために、鼻部に金属などの硬い固形物を結合したが、このような場合に鼻部に圧力が加わって不便な問題点があった。
【００３６】
しかし、本発明の一実施形態による機能性マスクはマスク本体１０と同一の素材又はスポンジ状の外鼻支持部材を備えることによって使用者に楽な着心地を提供することができる。
また、前記外鼻支持部材は鼻翼の位置から両ほおの位置まで長く形成されて外鼻支持部材による荷重が分散されるから、使用者は前記外鼻支持部材による不便が感じなくなる。
【００３７】
本発明の一実施形態によれば、機能性マスクの本体は離隔空間５を維持するように膨らんでいる形状を維持することができる素材で作ることができる。より具体的には、一定水準の外力又は外圧がマスクに作用して形状が変形されても、前記外力又は外圧が除去されれば元の形態に復元することができる形状維持素材から本発明の一実施形態によるマスクを製作することができる。
【００３８】
本発明の一実施形態による形状維持素材は弾性素材で作ることができる。例えば、ゴム、シリコン、ポリプロピレン又はポリウレタンフォームであり得るが、必ずしもこれに限定されるものではない。
一方、形状維持素材は形状維持が可能な纎維素材から作ることができ、合成樹脂又は合成纎維を含むことができる。
また、本発明の一実施形態によるマスク本体１０は、空気の出入ができるように通気性素材で作ることができ、必要によって中央部１のみ通気性素材で作ることができる。
【００３９】
図２は本発明の他の実施形態による機能性マスクの背面図である。
本発明の一実施形態による左側外鼻支持部材１１及び右側外鼻支持部材１２はマスク本体の下側位置にも突設されることができる。したがって、本発明の他の実施形態による機能性マスクは上下の区分なしに使うことができる。
【００４０】
図３は本発明のさらに他の実施形態による機能性マスクの使用状態を示す側面図である。
本発明の一実施形態による機能性マスクは、図３に示すように、ネックウォーマー又は襟巻きのような衣類アクセサリーに結合して使うことができる。
また、前記衣類アクセサリー２０だけでなく、スポーツウェア又はアウトドア衣類に本発明の一実施形態による機能性マスクを結合して使うことができる。
具体的に、マスク本体１０の外面に衣類アクセサリー２０又は衣類の外被が重ねて当てられる形態に結合できる。
したがって、本発明の一実施形態による機能性マスクは衣類アクセサリー２０又は衣類に結合して使うので、野外活動時に紫外線、雪及び風などの外部環境から使用者の身体を保護するだけでなく、使用者が息苦しく呼吸しても布地によって鼻が詰まらないようにすることができる。
【００４１】
一方、本発明の一実施形態による機能性マスクは着用方法又は用途によって制限されない。
【００４２】
本発明の他の実施形態による機能性マスクは、図２に示すように、マスク単独で使うこともできる。図２を参照すると、マスク本体１０の両側面にホールを形成し、耳に連結することができる紐をつけてマスク単独で使うことができる。
【００４３】
図４は本発明のさらに他の実施形態による機能性マスクの分解図である。
図４を参照すると、外気から有害性物質を遮断する防塵用途をさらに加えるために、本発明の他の実施形態による機能性マスクは、マスク本体１０と衣類アクセサリー２０又は衣類の間に微細ほこりフィルター３０をさらに含むことができる。
【００４４】
一方、本発明の他の実施形態による機能性マスクは、微細ほこりフィルター３０を着脱することができる構造を有することができる。
【００４５】
本発明のさらに他の実施形態によれば、前記微細ほこりフィルターの代わりに、芳香剤抽出物がコートされたパッチ４０を使うことができる。例えば、本発明の実施形態によるパッチがフィトンチッド抽出物でコートされた場合には、呼吸時にフィトンチッド香のさわやかな香りがするだけでなく、フィトンチッド成分を吸いこむことにより、ストレス解消、心肺機能強化及び殺菌作用の効果を得ることができる。
本発明の実施形態による微細ほこりフィルター３０又は前記パッチ４０はシート状に製作してマスクに重ねて当てることができる。
【００４６】
図５は本発明のさらに他の実施形態によってエンボスが形成された機能性マスクの斜視図、図６は背面図である。
本発明の一実施形態による機能性マスクは、マスク本体１０の下部に呼気排出のための通路を提供するために、凸凹な空気排出エンボス６が形成されることができる。
すなわち、マスク本体１０の下部には所定の位置（例えば、中央部の下側）からマスク本体の下端まで垂直方向に表面に屈曲を有するエンボス６が形成されることができる。
【００４７】
本発明の一実施形態による空気排出エンボス６は呼気の排出のための通路を提供することにより、マスクの内部で発生する結露現象を解消するのに役立つことができる。
また、本発明の一実施形態によってマスクの下端表面に屈曲を有する機能性マスクは、マスク形態の変形を防止するだけでなく、マスク本体の強度を増加させることにより、長期間にわたってマスクの形態を維持することができる耐久性を提供することができる利点もある。
【００４８】
本実施形態に関連する技術分野で通常の知識を有する者は前記記載の本質的な特性から逸脱しない範疇内で変形した形態に具現することができることが理解可能であろう。したがって、前記で開示した方法は限定的な観点ではなく説明的な観点で考慮しなければならない。本発明の範囲は前述した説明ではなく請求範囲によって決定され、それと同等な範囲内にある全ての相違点は本発明に含まれるものとして解釈しなければならない。
【符号の説明】
【００４９】
１    中央部
２    通気孔
３    鼻柱支持部
４    両ほおが接触する部分
５    離隔空間
６    空気排出エンボス
１０    マスク本体
１１    左側外鼻支持部材
１２    右側外鼻支持部材
２０    衣類アクセサリー
３０    微細ほこりフィルター
４０    パッチ
【図１Ａ】
2019090157.tif 000003
【図１Ｂ】
2019090157.tif 000004
【図２】
2019090157.tif 000005
【図３】
2019090157.tif 000006
【図４】
2019090157.tif 000007
【図５】
2019090157.tif 000008
【図６】
2019090157.tif 000009